(57)【要約】【課題】  本考案は、書画を簡単に着脱することができると共に書画のバックに表装シートとは異なる模様等を有する背景シート部が表れることによりデザイン的に斬新な掛け軸を提供する。【解決手段】  掛け軸１０の表装シート１２の表シート部２０には真円状の窓部２２が開口形成されている。この表シート部２０の背面であって前記窓部２２に対応する位置には窓部２２より大径で真円状の背景裂２４が窓部２２と同心状に配設されている。この背景裂２４は表シート部２０とは異なる色の織物からなり、表面には模様２６が織られている。前記背景裂２４の外周縁２４Ａは前記表シート部２０の裏面２０Ａと接着剤で接着され、これにより窓部２２に沿ってリングの差込隙間部２８が形成されている。【選択図】  図１
0003104484.tif 000002
【実用新案登録請求の範囲】
【請求項１】
表装シートと、この表装シートの上端部に取り付けられた上軸と、前記表装シートの下端部に取り付けられた下軸と、前記表装シートを構成すると共に表装シートの表面側に配設される表シート部と、この表シート部に開口形成された窓部と、前記表シート部の背面で前記窓部に対応して配設されると共に窓部よりも大きく形成された背景シート部と、この背景シート部の外周縁を前記表シート部の裏面に接着することにより表シート部と背景シート部の外周部とによって形成された環状の差込隙間部と、を有してなることを特徴とする掛け軸。
【請求項２】
表装シートと、この表装シートの上端部に取り付けられた上軸と、前記表装シートの下端部に取り付けられた下軸と、前記表装シートを構成すると共に表装シートの表面側に配設される織物地等で形成された表シート部と、この表シート部に開口形成された窓部と、前記表シート部の背面に前記窓部に対応して配設されると共に窓部よりも大きな窓部と相似形の背景シート部と、この背景シート部の外周縁を前記表シート部の裏面に接着することにより表シート部と背景シート部の外周部との間に形成された環状の差込隙間部と、を有してなることを特徴とする掛け軸。
【請求項３】
吊り下げられて使用される表装シートと、この表装シートの上端部に取り付けられた上軸と、前記表装シートの下端部に取り付けられた下軸と、前記表装シートを構成すると共に表装シートの表面側に配設される織物地等で形成された表シート部と、この表シート部に真円状に開口形成された窓部と、前記表シート部の背面に前記窓部と同心状に配設されると共に前記窓部よりも大径の真円状の背景シート部と、この背景シート部の表面に形成された模様と、前記背景シート部の外周縁を前記表シート部の裏面に接着することにより表シート部と背景シート部の外周部との間に形成されたリング状の差込隙間部と、を有してなることを特徴とする掛け軸。
【考案の詳細な説明】
【技術分野】
【０００１】
本考案は、書画を飾る掛け軸に関し、詳しくは簡単に書画を着脱することができると共に書画のバックに背景シートを設けることにより掛け軸を見る者に対して斬新な印象を与えることができる掛け軸に関する。
【背景技術】
【０００２】
図５に示されるように書画を部屋の床の間や茶室等に飾る道具として掛け軸１が広く知られている。
この掛け軸１には、長尺状の表装シート２の表面に紐３が傾斜状に４ヶ所取り付けられて、表装シート２と紐３との間に差込隙間部４が形成されている。
従って、書画としての書や絵が描かれた色紙５を掛け軸１に飾る場合は色紙５の４つの角部５Ａを４つの紐３に対応させるようにして差込隙間部４に差し込んで取り付けると共に色紙５を取り外す場合は色紙５の４つの角部５Ａを一つずつ差込隙間部４から外すようにして掛け軸１から取り外している。このため、前記色紙５の着脱が煩雑である。
また、従来の掛け軸１は色紙５のバックには前記表装シート２が表れるだけであるためデザイン的に斬新さが無く面白みに欠けている。
【考案の開示】
【考案が解決しようとする課題】
【０００３】
本考案は、上記事実に鑑みなされたものであり書画を簡単に着脱することができると共に書画のバックに表装シートとは異なる模様等を有する背景シート部が表れることによりデザイン的に斬新な掛け軸を提供するものである。
【課題を解決するための手段】
【０００４】
請求項１の考案は、表装シートと、この表装シートの上端部に取り付けられた上軸と、前記表装シートの下端部に取り付けられた下軸と、前記表装シートを構成すると共に表装シートの表面側に配設される表シート部と、この表シート部に開口形成された窓部と、前記表シート部の背面で前記窓部に対応して配設されると共に窓部よりも大きく形成された背景シート部と、この背景シート部の外周縁を前記表シート部の裏面に接着することにより表シート部と背景シート部の外周部とによって形成された環状の差込隙間部と、を有してなることを特徴としている。
請求項２の考案は、表装シートと、この表装シートの上端部に取り付けられた上軸と、前記表装シートの下端部に取り付けられた下軸と、前記表装シートを構成すると共に表装シートの表面側に配設される織物地等で形成された表シート部と、この表シート部に開口形成された窓部と、前記表シート部の背面に前記窓部に対応して配設されると共に窓部よりも大きな窓部と相似形の背景シート部と、この背景シート部の外周縁を前記表シート部の裏面に接着することにより表シート部と背景シート部の外周部との間に形成された環状の差込隙間部と、を有してなることを特徴としている。
請求項３の考案は、吊り下げられて使用される表装シートと、この表装シートの上端部に取り付けられた上軸と、前記表装シートの下端部に取り付けられた下軸と、前記表装シートを構成すると共に表装シートの表面側に配設される織物地等で形成された表シート部と、この表シート部に真円状に開口形成された窓部と、前記表シート部の背面に前記窓部と同心状に配設されると共に前記窓部よりも大径の真円状の背景シート部と、この背景シート部の表面に形成された模様と、前記背景シート部の外周縁を前記表シート部の裏面に接着することにより表シート部と背景シート部の外周部との間に形成されたリング状の差込隙間部と、を有してなることを特徴としている。
【考案の効果】
【０００５】
本考案の掛け軸には、書画を収容する窓部には窓部に沿って書画の角部を差し込む差込隙間部が環状に設けられているので書画を簡単に着脱することができるという優れた効果を有する。
本考案の掛け軸は、飾る書画は窓部に収容されると共に書画のバックには表装シートと異なる模様等が形成された背景シート部が表れるので従来の掛け軸に無い斬新なデザインとなり掛け軸を見る者に斬新な印象を与えることができるという優れた効果を有する。
また、本考案の掛け軸は、飾る書画のバックには表装シートと異なる背景シート部が表れるので斬新な印象を与え購買意欲を喚起させることができるという優れた効果を有する。
【考案を実施するための最良の形態】
【０００６】
考案を実施するために最良の形態の例として以下のような実施例を示す。
【実施例１】
【０００７】
図１〜図３には本考案に係る掛け軸の第１実施例が示されている。
図１に示されるように、掛け軸１０の表装シート１２はシート状で長尺状に形成されている。この表装シート１２の上端部には表装シート１２の上下方向と直交するように上軸１４が設けられ、表装シート１２の下端部には表装シート１２の上下方向と直交するように円柱状の下軸１６が設けられている。従って、前記掛け軸１０をしまう場合は前記下軸１６を芯にして表装シート１２を巻くことにより表装シート１２に折り目をつけないで巻き取ることができるようになっている。
前記表装シート１２の上端部の上端面には吊紐１８が設けられている。従って、掛け軸１０を掛ける場合は吊紐１８をフック１９に掛けることにより掛け軸１０を掛けることができる。
前記表装シート１２の表面側には織物地で長尺状に形成されたシート状の表シート部２０が位置するようになっている。この表シート部２０には真円状の窓部２２が不規則に３個間隔を置いて上下方向に沿って開口形成されている。
前記表シート部２０の背面であって前記窓部２２に対応する位置には窓部２２より大径で真円状の背景シート部としての背景裂２４が前記窓部２２と同心状に配設されている。この背景裂２４は表シート部２０とは異なる色の織物からなり、表面には模様２６が織られている。
図２に示されるように、前記背景裂２４の外周縁２４Ａは前記表シート部２０の裏面２０Ａと接着剤で接着されている。これにより表シート部２０と背景裂２４の外周縁２４Ａの内側の外周部２４Ｂとの間には窓部２２に沿ってリングの差込隙間部２８が形成される。
図３に示されるように、前記表シート部２０の背面側には前記表シート部２０と同じ大きさで長尺状の裏地シート部３０が接着されて配設されている。従って、前記掛け軸１０を裏側から見ても前記背景裂２４は裏地シート部３０によって隠れて見えないので掛け軸１０の見栄えが悪くなるのを阻止することができる。
【０００８】
次に、前記第１実施例の掛け軸１０の作用を説明する。
図１に示されるように、この掛け軸１０に書画としての書や絵が描かれた色紙３２を飾る場合を例にして説明する。
図２に示されるように、前記掛け軸１０に色紙３２を飾る場合は窓部２２から色紙３２の４つの角部３２Ａを差込隙間部２８に差し込めば、色紙３２の角部３２Ａは表シート部２０と背景裂２４の外周部２４Ｂによって挟まれる状態になるので簡単に前記色紙３２を掛け軸１０に飾ることができる。しかも、差込隙間部２８は窓部２２に沿ってリング状に形成されているので、色紙３２の角部３２Ａを従来の掛け軸のように４箇所設けられた差込隙間部に対応させて差し込む必要が無いので簡単に飾ることができる。
図１に示されるように、前記掛け軸１０に飾られた色紙３２は表装シート１２に設けられた窓部２２に収容された状態になると共に色紙３２のバックには表シート部２０と異なる模様２６や色彩が施された前記背景裂２４が表れる。
従って、掛け軸１０を見る者に対して飾られた色紙３２のバックに表シート部２０と異なる模様や色彩が施された背景裂２４が表れるので従来の掛け軸に比べてデザイン的に斬新な印象を与えることができる。
なお、この掛け軸１０から前記色紙３２を取り外す場合は単に色紙３２を手前に引っ張れば色紙３２の４つの角部３２Ａは差込隙間部２８から簡単に外れるので、従来の掛け軸のように色紙の４つの角部を一つづつ外す必要が無いので簡単に色紙３２を掛け軸１０から取り外すことができる。
【０００９】
第４図には第２実施例の掛け軸４０が示されている。なお、第１実施例の掛け軸１０と同一の構成は同一の符号を用いてその説明は省略する。
この掛け軸４０の装飾シート１２は前記掛け軸１０と異なり上下方向の長さよりも左右方向の長さの方が大きく形成されている。また、窓部２２も左右方向に向って３個形成されている。
なお、他の構成及び作用は第１実施例の掛け軸１０と同一であるので、同一の符号を用いてその説明を省略する。
【００１０】
なお、実施例では窓部２２を真円状に開口形成したが、窓部２２の形状は円状に限定されるものでなく、例えば四角形や六角形等の他の形状でもよいことは勿論である。
また、実施例では窓部２２を３個形成した場合を示したがこれに限定されるものでなく、設ける窓部２２の数は２個以下でも４個以上でもよいことは勿論である。
なお、実施例では書画として書や絵が描かれた色紙３２を飾る場合を例にして説明したが、飾る物は色紙３２に限定されるものでないことは勿論である。
また、実施例では背景シート部として織物で形成された背景裂２４を示したが、背景シート部は和紙等でも形成してもよいことは勿論である。
【図面の簡単な説明】
【００１１】
【図１】色紙を飾った状態の第１実施例の掛け軸の正面図である。
【図２】第１実施例の掛け軸の一部拡大正面図である。
【図３】第１実施例の掛け軸の背面図である。
【図４】色紙を飾った状態の第２実施例の掛け軸の正面図である。
【図５】色紙を飾った状態の従来の掛け軸の正面図である。
【符号の説明】
【００１２】
１０    掛け軸
１２    表装シート
１４    上軸
１６    下軸
１８    吊紐
２０    表シート部
２２    窓部
２４    背景裂
２６    模様
２８    差込隙間部
３０    裏地シート部
３２    色紙
【図１】
0003104484.tif 000003
【図２】
0003104484.tif 000004
【図３】
0003104484.tif 000005
【図４】
0003104484.tif 000006
【図５】
0003104484.tif 000007